(57)【要約】      （修正有）【課題】ロケットにより牽引して所定領域に投射される索体を含む索ユニットにおいて、とくに柔軟性の低い索体に好適であり、運搬時等における索体の崩れを防止することができる索ユニットを提供する。【解決手段】ロケットにより牽引して所定領域に投射される索体１を含む索ユニットＵ１であって、繰り出し可能に纏めた索体１と、索体１に密着して同索体１を纏めた状態に維持する包装手段を備え、包装手段として、纏めた索体１を収容して内部を減圧する保管袋２を用いることで、索体１の纏めた状態を維持して、運搬時等における索体１の崩れを防止する。【選択図】図１
2010159913.tif 000002
【特許請求の範囲】
【請求項１】
ロケットにより牽引して所定領域に投射される索体を含むユニットであって、繰り出し可能に纏めた索体と、索体に密着して同索体を纏めた状態に維持する包装手段を備えたことを特徴とする索ユニット。
【請求項２】
包装手段が、纏めた索体を収容して内部を減圧する保管袋であることを特徴とする請求項１に記載の索ユニット。
【請求項３】
保管袋が、索体を収容し且つ内部を減圧した状態において、当該袋の対向面を密着させた開封用片を形成していることを特徴とする請求項２に記載の索ユニット。
【請求項４】
保管袋が、開口部を封止する開閉操作可能なファスナーを備えていることを特徴とする請求項２又は３に記載の索ユニット。
【請求項５】
包装手段が、纏めた索体を包囲する熱収縮性フィルムであることを特徴とする請求項１に記載の索ユニット。
【請求項６】
索体が、爆薬を内蔵した地雷処理用の爆索であることを特徴とする請求項１〜５のいずれか１項に記載の索ユニット。
【発明の詳細な説明】
【技術分野】
【０００１】
本発明は、ロケットにより牽引して所定領域に投射される索体を含む索ユニットに関するものである。
【背景技術】
【０００２】
この種の索ユニットとしては、地雷処理用のロケット牽引式爆索展張装置に使用するものがある。ロケット牽引式爆索展張装置は、図４に示すように、ロケットＲと、ロケットの発射台Ｌと、索ユニットである爆索（索体）Ｅ及び容器Ｃを備えている。爆索Ｅは、爆薬を内蔵し、図３に示すように、繰り出し可能に纏めて容器Ｃに収容してある。
【０００３】
そして、ロケット牽引式爆索展張装置は、爆索Ｅの一端部をロケットＲに連結し、そのロケットＲを発射することで、爆索Ｅを直線状に展張させて所定領域すなわち地雷原に投射する。その後、爆索Ｅを作動させることで地雷を誘爆処理する（例えば、非特許文献１参照）。
【０００４】
上記のロケット牽引式爆索展張装置に用いる索ユニットは、爆索Ｅを容器Ｃから高速で繰り出すので、その繰り出し動作を円滑にするには、爆索Ｅを規則的に折り曲げるなどして容器Ｃ内に整然と纏めた状態で収容しておく必要があり、従来では、運搬時に振動や衝撃を受けても収容状態が崩れないように、爆索Ｅを容器Ｃに隙間無く詰め込んでいた。
【先行技術文献】
【非特許文献】
【０００５】
【非特許文献１】「最新防衛技術大成」株式会社Ｒ＆Ｄプランニング、昭和６０年２月１１日、ｐ．６２２−６２３
【発明の概要】
【発明が解決しようとする課題】
【０００６】
ところで、近年では、ロケットで牽引した際の索体の展張性及び強度の向上を図るために、例えば、爆薬にシリコン等の合成ゴム材を混合又はゴム層の外皮で被覆することで、直線状態に形状回復し易く且つ展張時の張力で破断し難いようにした索体が開発されている。
【０００７】
ところが、上記のような索体は、展張性及び強度を高めることができる反面、柔軟性が低くなるので容器に隙間無く詰め込むことが困難である。そこで、容積に余裕のある容器を使用せざるを得ないのであるが、運搬時の振動や衝撃で収容状態が崩れ易くなるという問題点があり、このような問題点を解決することが課題であった。
【０００８】
本発明は、上記従来の課題に着目して成されたもので、ロケットにより牽引して所定領域に投射される索体を含む索ユニットにおいて、とくに柔軟性の低い索体に好適であり、運搬時等における索体の崩れを防止することができる索ユニットを提供することを目的としている。
【課題を解決するための手段】
【０００９】
本発明の索ユニットは、ロケットにより牽引して所定領域に投射される索体を含むユニットであって、繰り出し可能に纏めた索体と、索体に密着して同索体を纏めた状態に維持する包装手段を備えた構成としており、上記構成をもって従来の課題を解決するための手段としている。包装手段としては、例えば、内部の減圧が可能な保管袋や熱収縮性フィルムなどを採用することができる。
【発明の効果】
【００１０】
本発明の索ユニットによれば、ロケットにより牽引して所定領域に投射される索体を含む索ユニットにおいて、とくに柔軟性の低い索体に好適であり、運搬時等に振動や衝撃を受けた場合でも、また、容積に余裕のある容器に収容した場合でも、索体の崩れを確実に防止することができる。
【図面の簡単な説明】
【００１１】
【図１】本発明の索ユニットの一実施形態を説明する図であって、索体及び保管袋を示す斜視図（ａ）、開口部にファスナーを備えた保管袋を示す斜視図（ｂ）及び保管袋を減圧した状態を示す斜視図（ｃ）である。
【図２】本発明の索ユニットの他の実施形態を説明する図であって、索体及び熱収縮性フィルムを示す斜視図（ａ）及び索体を包装した状態を示す斜視図（ｂ）である。
【図３】従来の索ユニットを説明する斜視図である。
【図４】索ユニットが適用可能なロケット牽引式爆索展張装置を示す説明図である。
【発明を実施するための形態】
【００１２】
図１は、本発明の索ユニットの一実施形態を説明する図である。
図示の索ユニットＵ１は、繰り出し可能に纏めた索体１と、索体１に密着して同索体１を纏めた状態に維持する包装手段を備えている。この実施形態の包装手段は、纏めた索体１を収容する保管袋２であって、内部を減圧することにより索体１に密着して同索体１を纏めた状態に維持している。
【００１３】
索体１は、図４に示すロケット牽引式爆索展張装置に用いられる爆索（Ｅ）であり、爆薬を内蔵している。索体１は、一例として、全長数十ｍ及び直径１７ｍｍであると共に、ゴム硬度ショアＡ９０の物性を有している。これにより、索体１は、直線状態に形状回復し易くなり、ロケットで牽引した際の展張性及び強度を高めることができるのであるが、その反面、柔軟性が低下し、収容時には折り曲げ半径を約３０ｍｍ以下にするのが困難である。
【００１４】
保管袋２は、索体１の収容及び減圧に対する強度を備えた合成樹脂製の袋であって、纏めた索体１よりも充分に大きい容積を有している。この保管袋２は、減圧作業に対処する構成として、とくに図１（ａ）に示す如く逆止弁３ａを有する吸引管３を設けたり、図１（ｂ）に示すように、開放部を封止する開閉操作可能なファスナー５を設けることができる。
【００１５】
そして、索ユニットＵ１は、索体１を規則的に折り曲げたり巻回したりしつつ、索体１を繰り出し可能に三次元的に纏めた状態にする。図示の索体１は、始点１Ａと終点１Ｂが相反する位置になるように整然と纏めてある。その後、纏めた索体１を保管袋２に収容すると共に、ポンプ類を使用して保管袋２の内部を真空引きする。
【００１６】
このとき、索ユニットＵ１は、纏めた索体１よりも充分に大きい容積を有する保管袋２を用いることで、図１（ｃ）に示すように、保管袋２に、当該袋の対向面を密着させた開封用片４を形成する。これにより、保管袋２の開口部を封止することができる。また、図１（ｂ）に示すファスナー５を閉じて保管袋２の開口部を封止することも良い。
【００１７】
上記構成を備えた索ユニットＵ１は、内部を減圧した保管袋２により、索体１の纏めた状態を維持するので、運搬時に振動や衝撃を受けた場合でも、索体１が崩れるのを確実に防ぐことができる。
【００１８】
これにより、索ユニットＵ１は、展張性及び強度の高い索体１すなわち柔軟性の低い索体１の収容に適したものとなり、具体的には、図４に示すロケット牽引式爆索展張装置において、展張性及び強度を高めた爆索（Ｅ）の収容に非常に適したものとなる。
【００１９】
さらに、索ユニットＵ１は、使用する際には、開封用片４を切開又はファスナー５を開放することで、索体１に何ら損傷を与えずに保管袋２を容易に開封することができ、しかも、上述したように索体１の纏めた状態を維持しているので、ロケットの牽引により索体１を高速で繰り出しても、その動作を円滑にすることができる。
【００２０】
これにより、索ユニットＵ１は、図４に示すロケット牽引式爆索展張装置において、爆索（Ｅ）を良好に展張させることができる。
【００２１】
また、索ユニットＵ１は、保管袋２の対向面を密着させて開封用片４を形成する構成にすることで、特別な手段を用いることなく保管袋２の開口部を封止しておくことができ、構造のさらなる簡略化を実現する。また、保管袋２の開口部を封止する開閉操作可能なファスナー５を備えた構成にすることで、保管袋２の開口部をより確実に封止しておくことができるうえに、保管袋２の開放作業を容易に行うことができる。
【００２２】
図２は、本発明の索ユニットの他の実施形態を説明する図である。なお、先の実施形態と同一の構成部位は、同一符号を付して詳細な説明を省略する。
【００２３】
図示の索ユニットＵ２は、繰り出し可能に纏めた索体１と、索体１に密着して同索体１を纏めた状態に維持する包装手段を備えている。この実施形態の包装手段は、纏めた索体１を包囲する熱収縮性フィルム６である。
【００２４】
熱収縮性フィルム６の素材としては、ポリプロピレン、ポリエチレン及びポリスチレンなどを用いることができるが、包装する索体１が爆索であることから、より低温で収縮するポリ塩化ビニルやポリオレフィンなどを用いるのがより望ましい。
【００２５】
そして、図示例の索ユニットＵ２は、図２（ａ）に示すように、繰り出し可能に纏めた索体１を帯状の熱収縮性フィルム６で包み、この際、熱収縮性フィルム６を筒状に丸め、その両端を合わせて重合部６ａを形成する。この重合部６ａは、接着剤等で接着しても良いし、図中に仮想線で示すように、熱収縮性フィルム６の素材以外の材料で作製したファスナー７類を設けてより確実に封止しても良い。
【００２６】
その後、索ユニットＵ２は、熱収縮性フィルム６の重合部６ａ以外の部分を加熱して収縮させることで、図２（ｂ）に示すように、熱収縮性フィルム６を索体１に密着させ、これにより同索体１の纏めた状態を維持する。
【００２７】
上記の索ユニットＵ２は、図１に示す実施形態の保管袋のように、索体１の全体を完全に覆うものではないが、図２（ｂ）に示す如く索体１の大半を熱収縮性フィルム６で覆うことで索体１を保持することができ、先の実施形態と同様に、運搬時に振動や衝撃を受けた場合でも、索体１が崩れるのを確実に防ぐことができる。
【００２８】
また、索ユニットＵ２は、図４に示すロケット牽引式爆索展張装置において、使用する際には、重合部６ａを切開することで、索体１に何ら損傷を与えずに熱収縮性フィルム６を剥がすことができ、しかも、ロケットの牽引により索体１を高速で繰り出しても、その動作を円滑にすることができる。
【００２９】
なお、本発明の索ユニットは、その構成が上記の各実施形態のみに限定されるものではなく、本発明の要旨を逸脱しない範囲で構成の細部を適宜変更することができる。
【符号の説明】
【００３０】
１  索体
２  保管袋（包装手段）
４  開封用片
５  ファスナー
６  熱収縮性フィルム（包装手段）
Ｅ  爆索
Ｒ  ロケット
Ｕ  索ユニット
【図１】
2010159913.tif 000003
【図２】
2010159913.tif 000004
【図３】
2010159913.tif 000005
【図４】
2010159913.tif 000006